(57)【特許請求の範囲】
【請求項１】
綴じ合わせた複数枚の用紙に身体の仕組みを図示する小冊子において、
前記用紙の表裏一対の頁の図示内容に共通する部分の一部を切り抜いて除去した頁を含み、
前記除去した部分のある表裏一対の頁の表側には前記除去部分の周辺の身体構造を前記共通部分から背面方向を見た図柄として示し、前記除去部分のある表裏一対の頁の裏側には前記除去部分の周辺の身体構造を前記共通部分から前面方向を見た図柄として示すことを特徴とする身体構造図示の小冊子。
【請求項２】
前記用紙に示される図柄は、見開きの左右一対の頁には綴じ合わせ部を軸として身体構造各部が対称的に描かれ、
前記表裏一対の頁には、図柄に示される身体構造各部の相対位置が表裏で一致するよう描かれている請求項１に記載の身体構造図示の小冊子。
【発明の詳細な説明】
【０００１】
【発明の属する技術分野】
本発明は、利用者に対し判り易く身体構造を説明するための身体構造図示の小冊子に関し、特に図示内容について強調したい箇所を明確に示すことができる身体構造図示の小冊子に関する。
【０００２】
【従来の技術】
一般に、いろいろなサービス機関などにおいて、医学的知識の普及や、健康に関心を持たせるために、あるいは関連商品の宣伝を兼ねて、利用者の啓蒙を目的とする身体構造図示の小冊子を配布することが多い。
これらの小冊子は、身体構造の各器官を、主要内臓の配置、骨格、神経系統、循環器系統などに分けて多色刷りし、各種の説明を加えている。
【０００３】
【発明が解決しようとする課題】
従来のこの種の小冊子は、変化に乏しく、なにかテーマをもって説明する場合でも、ワンパターンで肝心な場所に見る者の注意を引きつける要素が少ないという問題点がある。
また、各臓器についても、関連する器官を平面上に示すことができても、前後関係を明確に示すことができないという欠点がある。
【０００４】
本発明の目的は、このような課題を解決して、各頁ごとに説明の中心となる臓器または器官の存在位置をアピールし、その前後関係もよく判るように工夫された身体構造図示の小冊子を提供することにある。
【０００５】
【課題を解決するための手段】
前記の目的を達成するため本発明の身体構造図示の小冊子は、綴じ合わせた複数枚の用紙（１０，２０）に身体の仕組みを図示する小冊子において、
前記用紙（１０，２０）の表裏一対の頁（１と２，３と４，５と６，７と８）の図示内容に共通する部分の一部（１２ｈ，３４ｈ，５６ｈ）を切り抜いて除去した頁（１と２，３と４，５と６）を含み、前記除去部分（１２ｈ，３４ｈ，５６ｈ）のある表裏一対の頁（１と２，３と４，５と６）の表側には前記除去部分（１２ｈ，３４ｈ，５６ｈ）の周辺の身体構造を前記共通部分から背面方向を見た図柄として示し、前記除去部分（１２ｈ，３４ｈ，５６ｈ）のある表裏一対の頁（１と２，３と４，５と６）の裏側には前記除去部分（１２ｈ，３４ｈ，５６ｈ）の周辺の身体構造を前記共通部分から前面方向を見た図柄として示す構成とする。
【０００６】
さらに、前記用紙（１０，２０）に示される図柄は、見開きの左右一対の頁（２と３，４と５，６と７）には綴じ合わせ部（２３ｂ，４５ｂ，６７ｂ）を軸として身体構造各部が対称的に描かれ、前記表裏一対の頁（１と２，３と４，５と６）には、図柄に示される身体構造各部の相対位置が表裏で一致するよう描かれている構成とする。
【０００７】
【発明の実施の形態】
次に本発明の実施形態について図面を参照して詳しく説明する。
図１は、本発明の身体構造図示の小冊子の一例の全頁を軽く開いて斜めから見下ろした斜視図である。１〜８は、それぞれ１頁〜８頁である。ただし図中に見えているのは２頁，４頁，５頁，７頁のみである。また各頁の図柄は、身体中央部の外形その他の大まかな輪郭線と、表裏の図示内容に共通する一部分を切り抜いた除去部１２ｈ，３４ｈ，５６ｈのみを示し、他は省略してある。
除去部１２ｈ，３４ｈ，５６ｈは、図中では斜線を施して示してあるが、実際には、切り取られているので、向こう側の背景がこの部分を通して見える。
【０００８】
用紙１０と２０の表裏には、それぞれ身体構造の図柄が印刷されている。表紙（裏表紙を含む）となる用紙１０は、図１には示されていない表側には、１頁の図柄１ｓと８頁の図柄８ｓが印刷されている。また内側には、２頁の図柄２ｓと７頁の図柄７ｓが印刷されている。
冊子を折り畳んだときの内側に綴じられる用紙２０は、図１には示されていない表側には、３頁の図柄３ｓと６頁の図柄６ｓが印刷されている。また内側には、４頁の図柄４ｓと５頁の図柄５ｓが印刷されている。
【０００９】
図２は、図１の実施形態の冊子の１頁と８頁に印刷される図柄１ｓと８ｓを展開して示した平面図である。
図３は、図１の実施形態の冊子の２頁と３頁に印刷される図柄２ｓと３ｓを展開して示した平面図である。
図４は、図１の実施形態の冊子の４頁と５頁に印刷される図柄４ｓと５ｓを展開して示した平面図である。
６頁と７頁に印刷される図柄６ｓと７ｓについては図示を省略した。
【００１０】
図３、図４において、２３ｂ，４５ｂは、それぞれ２頁と３頁の間、４頁と５頁の間の綴じ合わせ部である。
綴じ針９，９によって、綴じ合わせ部２３ｂ，４５ｂ、および６７ｂ（図示しない）が一致した状態で用紙１０と２０が重ねられ綴じ合わされる。なお、図２に示す１８ｂは、表紙、裏表紙の間の山折りの折り目である。
【００１１】
用紙１０および２０の図柄は、図柄１ｓと図柄２ｓ，図柄３ｓと図柄４ｓ，図柄５ｓと図柄６ｓ，図柄７ｓと図柄８ｓは、それぞれ身体構造各部の位置が相対的に、表裏で一致するように配置されている。
また、冊子を折り畳んだとき図柄２ｓと図柄３ｓ，図柄４ｓと図柄５ｓ，図柄６ｓと図柄７ｓはそれぞれ対向して、重なり合うように配置されている。
【００１２】
図柄１ｓ，３ｓ，５ｓ，７ｓは、すべて身体の前面あるいは任意の断面から背面方向を見た図柄であり、身体の前面から背面に向かってこの順に対応する断面（必ずしも平面とは限らない）を含んだ身体構造を表示し、図柄８ｓ，６ｓ，４ｓ，２ｓは、すべて身体の背面あるいは任意の断面から前面方向を見た図柄であり、身体の背面から前面に向かってこの順に対応する断面（必ずしも平面とは限らない）を含んだ身体構造を表示す。
各図柄の上下左右の余白に、見出しや説明文が記載される。また、各図柄の要所には説明のための引き出し線を付し、周辺の余白に該当する臓器名や器官名が示される。なお、図１〜図４の全てにおいて、細かい説明文、引き出し線などは、煩雑さを避けるため省略してある。
【００１３】
除去部１２ｈは、用紙１０の１，２頁間の一部を切り抜いたものである。身体の胸腹部の皮膚を除去し、特に左腹部の腹筋，腹膜の一部などを除去した状態を、印象付けて示すための部分である。
除去部３４ｈは、用紙２０の３，４頁間の一部を切り抜いたものである。前述の１，２頁の状態から、特に胃を除去した状態を、印象付けて示すための部分である。
【００１４】
除去部５６ｈは、用紙２０の５，６頁間の一部を切り抜いたものである。前述の３，４頁の状態から、さらに腹膜の一部を除去した状態を、印象付けて示すための部分である。
除去部１２ｈ，３４ｈ，５６ｈは、各図柄の周辺余白に表示される図示しない解説文と関連して切り抜かれているので、それらの解説の効果を高め、印象付けることができる。
【００１５】
図１〜図４に示した本発明の実施形態は単なる一例に過ぎず種々の変形例が考えられる。
例えば用紙の形状や枚数，頁数，各頁の図柄，各頁の切り抜き除去部の有無および数，形など、図示のものと大きく異なっていても一向に差し支えない。
これらは、本発明の主旨に沿うものであれば、全て本発明に含まれる。
【００１６】
【発明の効果】
以上、説明したように本発明による身体構造図示の小冊子は、用紙の表裏の図示内容に共通する部分の一部を切り抜いた頁を含み、前記除去部分の表側には除去部分の周辺の身体構造を共通部分の前から背面方向を見た図柄として示し、裏側には除去部分の周辺の身体構造を共通部分の裏から前面方向を見た図柄として示しているので、この除去部分を中心として、充分な注意が喚起され、この小冊子を見る者に対し、説明の重点をよく判らせ、提供者の主張を有効に伝えることができるという効果がある。
【００１７】
さらに、前記用紙に示される図柄は、見開きの左右一対の頁には綴じ合わせ部を軸として身体構造各部が対称的に描かれ、表裏一対の頁には、図柄に示される身体構造各部の相対位置が表裏で一致するよう描かれているので、解説の主旨が表から裏に、また裏から表に一貫して繋がりよく、同種の従来品に比べ、体裁の整った冊子として、利用者に提供することができる。
【図面の簡単な説明】
【図１】本発明の身体構造図示の小冊子の実施形態を示す斜視図である。
【図２】図１の小冊子の１頁と８頁の図柄を展開して示した平面図である。
【図３】図１の小冊子の２頁と３頁の図柄を展開して示した平面図である。
【図４】図１の小冊子の４頁と５頁の図柄を展開して示した平面図である。
【符号の説明】
１ｓ  １頁の図柄
２ｓ  ２頁の図柄
３ｓ  ３頁の図柄
４ｓ  ４頁の図柄
５ｓ  ５頁の図柄
６ｓ  ６頁の図柄
７ｓ  ７頁の図柄
８ｓ  ８頁の図柄
９  綴じ針
１０，２０  用紙
１２ｈ，３４ｈ，５６ｈ  除去部
【図１】
0003759304.tif 000002
【図２】
0003759304.tif 000003
【図３】
0003759304.tif 000004
【図４】
0003759304.tif 000005